【手続補正書】
【提出日】平成25年7月11日(2013.7.11)
【手続補正１】
【補正対象書類名】特許請求の範囲
【補正対象項目名】全文
【補正方法】変更
【補正の内容】
【特許請求の範囲】
【請求項１】
光源と、
前記光源から光が照射されることにより、画像再構成する領域である再構成領域に対応する被検体から発生する音響波を検出する複数の素子を受信面上に配置した音響波検出手段と、
前記音響波検出手段が検出した音響波から画像再構成に用いる音響波信号を生成する音響波信号生成手段と、
前記複数の素子から画像再構成に用いる素子を選択する素子選択手段と、
前記素子選択手段が選択した素子が検出した音響波に基づく音響波信号を用いて前記再構成領域内の注目点の画像再構成を行う再構成手段と
を有し、
前記素子選択手段は、選択された素子のそれぞれに、前記注目点から前記受信面に下ろした垂線が当該受信面に交わる点を中心として対称な位置に別の選択された素子が存在するように、素子を選択する
ことを特徴とする被検体情報取得装置。
【請求項２】
前記素子選択手段は、画像再構成に用いる素子として、前記注目点から前記受信面に下ろした垂線が当該受信面に交わる位置にある素子をも選択する
ことを特徴とする請求項１に記載の被検体情報取得装置。
【請求項３】
前記素子選択手段は、前記注目点と素子の位置、および、素子の指向性に基づき、前記注目点に対応する前記被検体の位置から発生する音響波を所定の有効なレベルで検出できる素子を選択する
ことを特徴とする請求項１または２に記載の被検体情報取得装置。
【請求項４】
前記素子選択手段は、選択された素子のうち外側に位置する素子が、前記注目点から前記受信面に下ろした垂線が当該受信面に交わる点を中心として略同じ距離にあるように選択を行う
ことを特徴とする請求項１〜３のいずれか１項に記載の被検体情報取得装置。
【請求項５】
前記音響波検出手段の位置を移動させる位置制御手段をさらに有し、
前記素子選択手段は、移動した各位置での前記音響波検出手段の受信面を合わせた仮想的な受信領域における、前記受信面が各位置にあるときの素子の位置を合わせた仮想的な素子群の中から素子を選択し、
前記再構成手段は、前記受信面の素子が各位置で検出した音響波に基づく音響波信号を前記仮想的な受信領域上の素子の音響波信号として、画像再構成を行う
ことを特徴とする請求項１〜４のいずれか１項に記載の被検体情報取得装置。
【請求項６】
前記位置制御手段は、移動した位置での前記音響波検出手段の受信面の一部が、別の位置における受信面の一部と重なるように前記音響波検出手段を移動させるものであり、
前記素子選択手段が選択した素子が前記受信面の重なる部分に含まれる場合、前記音響波信号生成手段は、前記音響波検出手段が各位置にあるときに前記選択した素子により検出された音響波に基づく音響波信号の平均を求めて、前記選択した素子の音響波信号とする
ことを特徴とする請求項５に記載の被検体情報取得装置。
【請求項７】
光源から光が照射されることにより、画像再構成する領域である再構成領域に対応する被検体から発生する音響波を、複数の素子を受信面上に配置した音響波検出器により検出する工程と、
前記音響波検出器が検出した音響波から画像再構成に用いる音響波信号を生成する工程と、
前記複数の素子から画像再構成に用いる素子を選択する工程と、
前記選択する工程にて選択された素子が検出した音響波に基づく音響波信号を用いて前記再構成領域内の注目点の画像再構成を行う工程と
を有し、
前記選択する工程では、選択された素子のそれぞれに、前記注目点から前記受信面に下ろした垂線が当該受信面に交わる点を中心として対称な位置に、別の選択された素子が存在するように、素子が選択される
ことを特徴とする被検体情報取得方法。
【請求項８】
光源から光が照射されることにより、画像再構成する領域である再構成領域に対応する被検体から発生する音響波を、複数の素子を受信面上に配置した音響波検出器により検出する工程と、
前記音響波検出器が検出した音響波から画像再構成に用いる音響波信号を生成する工程と、
前記複数の素子から画像再構成に用いる素子を選択する工程と、
前記選択する工程にて選択された素子が検出した音響波に基づく音響波信号を用いて前記再構成領域内の注目点の画像再構成を行う工程と
を有する画像情報取得方法を情報処理装置に実行させる画像情報取得プログラムであって、
前記選択する工程では、選択された素子のそれぞれに、前記注目点から前記受信面に下ろした垂線が当該受信面に交わる点を中心として対称な位置に、別の選択された素子が存在するように、素子が選択される
ことを特徴とする被検体情報取得プログラム。
【請求項９】
請求項８に記載のプログラムを記憶したコンピュータにより読み取り可能な記憶媒体。
【手続補正２】
【補正対象書類名】明細書
【補正対象項目名】発明の名称
【補正方法】変更
【補正の内容】
【発明の名称】被検体情報取得装置、被検体情報取得方法および被検体情報取得プログラム
【手続補正３】
【補正対象書類名】明細書
【補正対象項目名】００２２
【補正方法】変更
【補正の内容】
【００２２】
上記の目的を達成するため、本発明は以下の構成を採用する。すなわち、光源と、前記光源から光が照射されることにより、画像再構成する領域である再構成領域に対応する被検体から発生する音響波を検出する複数の素子を受信面上に配置した音響波検出手段と、前記音響波検出手段が検出した音響波から画像再構成に用いる音響波信号を生成する音響波信号生成手段と、前記複数の素子から画像再構成に用いる素子を選択する素子選択手段と、前記素子選択手段が選択した素子が検出した音響波に基づく音響波信号を用いて前記再構成領域内の注目点の画像再構成を行う再構成手段とを有し、前記素子選択手段は、選択された素子のそれぞれに、前記注目点から前記受信面に下ろした垂線が当該受信面に交わる点を中心として対称な位置に別の選択された素子が存在するように、素子を選択することを特徴とする被検体情報取得装置である。
【手続補正４】
【補正対象書類名】明細書
【補正対象項目名】００２３
【補正方法】変更
【補正の内容】
【００２３】
また、本発明は以下の構成を採用する。すなわち、光源から光が照射されることにより、画像再構成する領域である再構成領域に対応する被検体から発生する音響波を、複数の素子を受信面上に配置した音響波検出器により検出する工程と、前記音響波検出器が検出した音響波から画像再構成に用いる音響波信号を生成する工程と、前記複数の素子から画像再構成に用いる素子を選択する工程と、前記選択する工程にて選択された素子が検出した音響波に基づく音響波信号を用いて前記再構成領域内の注目点の画像再構成を行う工程とを有し、前記選択する工程では、選択された素子のそれぞれに、前記注目点から前記受信面に下ろした垂線が当該受信面に交わる点を中心として対称な位置に、別の選択された素子が存在するように、素子が選択されることを特徴とする被検体情報取得方法である。
【手続補正５】
【補正対象書類名】明細書
【補正対象項目名】００２４
【補正方法】変更
【補正の内容】
【００２４】
また、本発明は以下の構成を採用する。すなわち、光源から光が照射されることにより、画像再構成する領域である再構成領域に対応する被検体から発生する音響波を、複数の素子を受信面上に配置した音響波検出器により検出する工程と、前記音響波検出器が検出した音響波から画像再構成に用いる音響波信号を生成する工程と、前記複数の素子から画像再構成に用いる素子を選択する工程と、前記選択する工程にて選択された素子が検出した音響波に基づく音響波信号を用いて前記再構成領域内の注目点の画像再構成を行う工程とを有する画像情報取得方法を情報処理装置に実行させる画像情報取得プログラムであっ
て、前記選択する工程では、選択された素子のそれぞれに、前記注目点から前記受信面に下ろした垂線が当該受信面に交わる点を中心として対称な位置に、別の選択された素子が存在するように、素子が選択されることを特徴とする被検体情報取得プログラムである。